(57)【要約】【課題】  本発明は、上記問題に鑑みてなされたものであり、本発明の目的とするところは、ＬＣＤモジュールの温度に応じて駆動タイミングを補償するための温度補償を適用してＬＣＤモジュールを駆動するＬＣＤ装置およびＬＣＤ駆動方法を提供することにある。【解決手段】  ＬＣＤ装置およびＬＣＤ駆動方法が提供される。本ＬＣＤ装置は、ＬＣＤモジュールの温度に応じて駆動タイミングを補償するための温度補償を適用してＬＣＤモジュールを駆動する。これにより、ＬＣＤ装置は低い温度でもクロストークの発生率を下げることができるようになる。【選択図】図１Ａ
2011221534.tif 000002
【特許請求の範囲】
【請求項１】
入力された映像を表示するＬＣＤモジュールと、
前記ＬＣＤモジュールの温度に応じて前記駆動タイミングを補償するための温度補償を適用して前記ＬＣＤモジュールが駆動するように制御する制御部と、
を含むＬＣＤ装置。
【請求項２】
前記制御部は、
前記ＬＣＤモジュールの駆動タイミングを調節するタイミング制御部と、
入力される映像に応じて駆動タイミングが調節されるように、前記タイミング制御部を制御するメイン制御部と、を含み、
前記メイン制御部は、
前記ＬＣＤモジュールの温度に応じて前記駆動タイミングを補償するための温度補償を適用して前記ＬＣＤモジュールが駆動するように、前記タイミング制御部を制御することを特徴とする請求項１に記載のＬＣＤ装置。
【請求項３】
前記ＬＣＤモジュールの温度を検知する温度センサー部を更に含み、
前記メイン制御部は、
前記温度センサー部によって検知された温度情報に応じて前記温度補償を適用することを特徴とする請求項２に記載のＬＣＤ装置。
【請求項４】
各温度毎に補償値が対応している温度補償データを保存する保存部を更に含み、
前記メイン制御部は、
前記保存部に保存された温度補償データを用いて前記温度情報に対応する温度補償値を抽出し、前記抽出された温度補償値を用いて前記温度補償を適用することを特徴とする請求項３に記載のＬＣＤ装置。
【請求項５】
前記メイン制御部は、
前記抽出された温度補償値に応じて前記ＬＣＤモジュールに印加される駆動信号が補正されるように、前記タイミング制御部を制御することを特徴とする請求項４に記載のＬＣＤ装置。
【請求項６】
前記メイン制御部は、
ユーザの操作によって設定された設定値に応じて前記温度補償を適用することを特徴とする請求項２に記載のＬＣＤ装置。
【請求項７】
前記制御部は、
前記ＬＣＤモジュールの駆動タイミングを調節するタイミング制御部と、
入力される映像に応じて駆動タイミングが調節されるように、前記タイミング制御部を制御するメイン制御部と、を含み、
前記タイミング制御部は、
前記ＬＣＤモジュールの温度に応じて前記駆動タイミングを補償するための温度補償を適用して前記ＬＣＤモジュールが駆動することを特徴とする請求項１に記載のＬＣＤ装置。
【請求項８】
前記ＬＣＤモジュールの温度を検知する温度センサー部を更に含み、
前記タイミング制御部は、
前記温度センサー部によって検知された温度情報に応じて前記温度補償を適用することを特徴とする請求項７に記載のＬＣＤ装置。
【請求項９】
各温度毎に補償値が対応している温度補償データを保存する保存部を更に含み、
前記タイミング制御部は、
前記保存部に保存された温度補償データを用いて前記温度情報に対応する温度補償値を抽出し、前記抽出された温度補償値を用いて前記温度補償を適用することを特徴とする請求項８に記載のＬＣＤ装置。
【請求項１０】
前記タイミング制御部は、
前記抽出された温度補償値に応じて前記ＬＣＤモジュールに印加される駆動信号を補正することを特徴とする請求項９に記載のＬＣＤ装置。
【請求項１１】
前記タイミング制御部は、
ユーザの操作によって設定された設定値に応じて前記温度補償を適用することを特徴とする請求項７に記載のＬＣＤ装置。
【請求項１２】
ＬＣＤモジュールの温度に応じて駆動タイミングを補償するための温度補償を適用するステップと、
前記温度補償の適用された駆動信号に応じてＬＣＤモジュールの駆動タイミングを調節するステップと、
を含むＬＣＤ駆動方法。
【請求項１３】
温度センサーによって前記ＬＣＤモジュールの温度を検知するステップを更に含み、
前記適用ステップは、
前記温度センサーによって検知された温度情報に応じて前記温度補償を適用することを特徴とする請求項１２に記載のＬＣＤ駆動方法。
【請求項１４】
各温度毎に補償値が対応している温度補償データを保存するステップと、
前記保存された温度補償データを用いて前記温度情報に対応する温度補償値を抽出するステップと、を更に含み、
前記適用ステップは、
前記抽出された温度補償値を用いて前記温度補償を適用することを特徴とする請求項１３に記載のＬＣＤ駆動方法。
【請求項１５】
前記適用ステップは、
前記抽出された温度補償値に応じて前記ＬＣＤモジュールに印加される駆動信号を補正することにより、温度補償を適用することを特徴とする請求項１４に記載のＬＣＤ駆動方法。
【請求項１６】
ユーザの操作によって温度補償に対する設定値を入力されるステップを更に含み、
前記適用ステップは、
前記ユーザの操作によって設定された設定値に応じて前記温度補償を適用することを特徴とする請求項１２に記載のＬＣＤ駆動方法。
【発明の詳細な説明】
【技術分野】
【０００１】
本発明は、ＬＣＤディスプレイ装置およびＬＣＤ駆動方法に関し、より詳細には、３次元映像をディスプレイするために使われるＬＣＤディスプレイ装置およびＬＣＤ駆動方法に関する。
【背景技術】
【０００２】
最近のディスプレイ装置はその厚さが薄くなる傾向にある。なお、ＬＥＤ（Ｌｉｇｈｔ  Ｅｍｉｔｔｉｎｇ  Ｄｉｏｄｅ）の技術の発展とともに、ＬＥＤの使われる分野が広まりつつある。特に、ＬＥＤがディスプレイ装置のバックライトとして使われるようになったことで、ディスプレイ装置の厚さを革新的に薄くできるようになった。
【０００３】
このように、ＬＥＤを用いてディスプレイ装置を薄くするために、ＬＥＤバックライトがディスプレイの周縁に配置されたエッジタイプ（ｅｄｇｅ  ｔｙｐｅ）のバックライトが使われている。
【０００４】
ところが、エッジタイプのバックライトを使う場合、ＬＣＤの温度が周縁部分でのみ高くなり、画面の中央部分は低くなる現象が生じる。このように、ＬＣＤの温度が低い場合、ＬＣＤの応答速度が落ちるため、高品質な映像の提供が困難になる。特に、３次元映像を表現する場合、画面を出力する周波数が高まるため、より速い応答速度が求められる。
【０００５】
なお、３次元映像は、左眼映像と右眼映像とが交互に表示されるため、ＬＣＤの応答速度が遅い場合、左眼映像と右眼映像とが重なって見えるクロストーク（ｃｒｏｓｓ  ｔａｌｋ）現象が生じるようになる。従って、３次元映像を表現するためには、速い応答速度が求められる。
【０００６】
ユーザはディスプレイ装置を使用するうえで、クロストークの少ない３次元画面を求めている。従って、クロストーク現象を減らすためのディスプレイ装置を提供する方策が求められる。
【先行技術文献】
【特許文献】
【０００７】
【特許文献１】日本特開第２００８−２４２４５８号公報
【特許文献２】韓国特開第２００８−００１１３５号公報
【特許文献３】日本特開第２００７−０３３８４７号公報
【特許文献４】日本特開第２００２−２６８０３６号公報
【発明の概要】
【発明が解決しようとする課題】
【０００８】
そこで、本発明は、上記問題に鑑みてなされたものであり、本発明の目的とするところは、ＬＣＤモジュールの温度に応じて駆動タイミングを補償するための温度補償を適用してＬＣＤモジュールを駆動するＬＣＤ装置およびＬＣＤ駆動方法を提供することにある。
【課題を解決するための手段】
【０００９】
前記目的を達成するための本発明の一実施形態に係るＬＣＤ装置は、入力された映像を表示するＬＣＤモジュールと、前記ＬＣＤモジュールの温度に応じて前記駆動タイミングを補償するための温度補償を適用して前記ＬＣＤモジュールが駆動するように制御する制御部と、を含む。
【００１０】
そして、前記制御部は、前記ＬＣＤモジュールの駆動タイミングを調節するタイミング制御部と、入力される映像に応じて駆動タイミングが調節されるように、前記タイミング制御部を制御するメイン制御部と、を含み、前記メイン制御部は、前記ＬＣＤモジュールの温度に応じて前記駆動タイミングを補償するための温度補償を適用して前記ＬＣＤモジュールが駆動するように、前記タイミング制御部を制御してよい。
【００１１】
なお、前記ＬＣＤモジュールの温度を検知する温度センサー部を更に含み、前記メイン制御部は、前記温度センサー部によって検知された温度情報に応じて前記温度補償を適用してよい。
【００１２】
そして、各温度毎に補償値が対応している温度補償データを保存する保存部を更に含み、前記メイン制御部は、前記保存部に保存された温度補償データを用いて前記温度情報に対応する温度補償値を抽出し、前記抽出された温度補償値を用いて前記温度補償を適用してよい。
【００１３】
なお、前記メイン制御部は、前記抽出された温度補償値に応じて前記ＬＣＤモジュールに印加される駆動信号が補正されるように、前記タイミング制御部を制御してよい。
【００１４】
そして、前記メイン制御部は、ユーザの操作によって設定された設定値に応じて前記温度補償を適用してよい。
【００１５】
なお、前記制御部は、前記ＬＣＤモジュールの駆動タイミングを調節するタイミング制御部と、入力される映像に応じて駆動タイミングが調節されるように、前記タイミング制御部を制御するメイン制御部と、を含み、前記タイミング制御部は、前記ＬＣＤモジュールの温度に応じて前記駆動タイミングを補償するための温度補償を適用して前記ＬＣＤモジュールが駆動してよい。
【００１６】
そして、前記ＬＣＤモジュールの温度を検知する温度センサー部を更に含み、前記タイミング制御部は、前記温度センサー部によって検知された温度情報に応じて前記温度補償を適用してよい。
【００１７】
なお、各温度毎に補償値が対応している温度補償データを保存する保存部を更に含み、前記タイミング制御部は、前記保存部に保存された温度補償データを用いて前記温度情報に対応する温度補償値を抽出し、前記抽出された温度補償値を用いて前記温度補償を適用してよい。
【００１８】
そして、前記タイミング制御部は、前記抽出された温度補償値に応じて前記ＬＣＤモジュールに印加される駆動信号が補正してよい。
【００１９】
なお、前記タイミング制御部は、ユーザの操作によって設定された設定値に応じて前記温度補償を適用してよい。
【００２０】
一方、本発明の一実施形態に係るＬＣＤ駆動方法は、ＬＣＤモジュールの温度に応じて駆動タイミングを補償するための温度補償を適用するステップと、前記温度補償の適用された駆動信号に応じてＬＣＤモジュールの駆動タイミングを調節するステップと、を含む。
【００２１】
そして、温度センサーによって前記ＬＣＤモジュールの温度を検知するステップを更に含み、前記適用ステップは、前記温度センサーによって検知された温度情報に応じて前記温度補償を適用してよい。
【００２２】
なお、各温度毎に補償値が対応している温度補償データを保存するステップと、前記保存された温度補償データを用いて前記温度情報に対応する温度補償値を抽出するステップと、を更に含み、前記適用ステップは、前記抽出された温度補償値を用いて前記温度補償を適用してよい。
【００２３】
そして、前記適用ステップは、前記抽出された温度補償値に応じて前記ＬＣＤモジュールに印加される駆動信号を補正することにより、温度補償を適用してよい。
【００２４】
なお、ユーザの操作によって温度補償に対する設定値を入力されるステップを更に含み、前記適用ステップは、前記ユーザの操作によって設定された設定値に応じて前記温度補償を適用してよい。
【発明の効果】
【００２５】
上述のように、本発明の多様な実施形態によれば、ＬＣＤモジュールの温度に応じて駆動タイミングを補償するための温度補償を適用してＬＣＤモジュールを駆動するＬＣＤ装置およびＬＣＤ駆動方法を提供できるようになり、低い温度でもクロストークの発生率を下げることができるようになる。従って、ユーザは多様な環境で３次元映像をクロストーク現象なしに視聴することができるようになる。
【図面の簡単な説明】
【００２６】
【図１Ａ】本発明の一実施形態に係るメイン制御部により補償動作が行なわれるＴＶの構成を示すブロック図である。
【図１Ｂ】本発明の別の実施形態に係るタイミング制御部により補償動作が行なわれるＴＶの構成を示すブロック図である。
【図２】本発明の一実施形態に係るＬＣＤ駆動方法を説明するために提供されるフローチャートである。
【図３Ａ】本発明の一実施形態に係る温度補償モードを設定するための画面を示す図である。
【図３Ｂ】本発明の一実施形態に係る温度補償モードが自動モードである場合の画面を示す図である。
【図３Ｃ】本発明の一実施形態に係る温度補償モードが手動モードである場合の画面を示す図である。
【図４Ａ】本発明の一実施形態に係る温度補償を適用する前後のクロストーク現象の発生率を示すグラフを示す図である。
【図４Ｂ】本発明の一実施形態に係る温度補償を適用する前後のクロストーク現象の発生率を示すグラフを示す図である。
【発明を実施するための形態】
【００２７】
以下に添付図面を参照しながら、本発明の好適な実施の形態について詳細に説明する。
【００２８】
図１Ａは、本発明の一実施形態に係るメイン制御部により補償動作が行なわれるＬＣＤ（Ｌｉｑｕｉｄ  Ｃｒｙｓｔａｌ  Ｄｉｓｐｌａｙ）ＴＶ１００の構成を示すブロック図である。図１Ａに示されるように、ＬＣＤ  ＴＶ１００は、映像入力部１１０と、制御部１２０と、ＬＣＤモジュール１３０と、温度センサー部１４０と、保存部１５０およびユーザインターフェース部１６０を含む。
【００２９】
映像入力部１１０は、外部から映像信号を入力される。具体的に、映像入力部１１０は放送信号を受信するチューナでもよく、有線放送やアナログ映像信号、またはデジタル映像信号を受信するためのＡ／Ｖインターフェースでもよい。
【００３０】
制御部１２０は、入力された映像に応じてＬＣＤモジュール１３０が駆動するように駆動信号を生成してＬＣＤモジュール１３０に印加する。この際、制御部１２０はＬＣＤモジュール１３０の温度に応じて駆動タイミングを補償するための温度補償を適用して駆動信号を補正し、補正された駆動信号に応じてＬＣＤモジュール１３０が駆動するように制御する。
【００３１】
ここで、温度補償は、ＬＣＤモジュール１３０の温度に応じて駆動信号に補正を適用することを表す。ＬＣＤは温度が低いほど応答速度が落ちる。従って、制御部１２０は、ＬＣＤモジュール１３０の温度が低いほど、応答速度を速くするための補正を適用して駆動信号を生成するようになる。この際、駆動信号は、駆動電流または駆動電圧でもよい。従って、制御部１２０は、駆動電流または駆動電圧の強さまたはデューティ比（Ｄｕｔｙ  Ｒａｔｉｏ）を調節することにより、駆動信号に補正を適用できるようになる。この時、温度補償値は、温度に応じて駆動信号の強さまたはデューティ比を補正する値に該当する。
【００３２】
このように、制御部１２０が駆動信号の生成時に温度補償を適用することにより、ＬＣＤモジュール１３０は低い温度でも高い応答速度を維持できるようになる。
【００３３】
図１Ａに示されるように、制御部１２０はメイン制御部１２３およびタイミング制御部１２６を含む。メイン制御部１２３はＬＣＤ  ＴＶ１００の全般の動作を制御する。具体的に、メイン制御部１２３は映像入力部１１０を介して入力された映像を信号処理し、処理された映像信号をタイミング制御部１２６を出力する。この他にも、メイン制御部１２３はＬＣＤ  ＴＶ１００の多様な動作を制御する。
【００３４】
そして、メイン制御部１２３はＬＣＤモジュール１３０の温度に応じて駆動タイミングを補償するための温度補償を適用し、ＬＣＤモジュールが駆動するようにタイミング制御部１２６を制御する。即ち、メイン制御部１２３は入力される映像信号に温度補償を適用させ、温度補償の適用された映像信号をタイミング制御部１２６に出力するようになる。
【００３５】
具体的に、メイン制御部１２３は、温度センサー部１４０により検知された温度情報に応じて温度補償を適用することもできる。例えば、温度補償が自動で適用される自動モードに設定された場合、メイン制御部１２３は温度センサー部１４０から現在のＬＣＤモジュール１３０の温度に関する情報である温度情報を受信するようになる。そして、メイン制御部１２３は、保存部１５０に保存された温度補償データを用いて温度情報に対応する温度補償値を抽出する。その後に、メイン制御部１２３は抽出された温度補償値に応じて、ＬＣＤモジュール１３０に印加される駆動信号が補正されるようにタイミング制御部１２６を制御するようになる。このような過程を経て、メイン制御部１２３はＬＣＤモジュール１３０の温度に応じて入力された映像信号に温度補償を自動で適用するようになる。
【００３６】
なお、メイン制御部１２３はユーザの操作によって設定された設定値に応じて温度補償を適用することもできる。例えば、温度補償がユーザによって設定される手動モードに設定された場合、メイン制御部１２３はユーザインターフェース部１６０を介して入力されたユーザ命令に従って、温度補償設定値を選択するようになる。ここで、温度補償設定値は、ユーザのよって選択される温度補償の値を表す。例えば、温度補償設定値は、１５度に対して「−１」、２０度に対して「０」、２５度に対して「＋１」でもよい。
【００３７】
そして、メイン制御部１２３は、保存部１５０に保存された温度補償データを用いて温度補償設定値に対応する温度補償値を抽出する。その後に、メイン制御部１２３は、抽出された温度補償値に応じてＬＣＤモジュール１３０に印加される駆動信号が補正されるように、タイミング制御部１２６を制御するようになる。ここで、温度補償値は温度に応じて駆動信号を補正するための補正値を示し、これは実験を経て予め設定されている温度補償データを用いて分かる値に該当する。
【００３８】
このような過程を通じて、メイン制御部１２３はＬＣＤモジュール１３０の温度に応じて入力された映像信号に温度補償をユーザの操作に従って手動で適用するようになる。
【００３９】
タイミング制御部１２６は、メイン制御部１２３から入力された映像信号に応じてＬＣＤモジュールの駆動タイミングを調節する。即ち、タイミング制御部１２６は入力された映像信号に基づいて駆動信号を生成し、生成された駆動信号をＬＣＤモジュール１３０に印加することにより、ＬＣＤモジュール１３０を駆動させると同時に駆動タイミングを調節するようになる。特に、メイン制御部１２３は入力された映像信号に温度補償を適用して出力するため、タイミング制御部１２６は温度補償の適用された駆動信号を生成できるようになる。従って、タイミング制御部１２６は温度補償の適用された映像信号に基づいてＬＣＤモジュール１３０の駆動信号を生成し、適切なタイミングで駆動信号をＬＣＤモジュール１３０に提供するようになる。
【００４０】
ここで、タイミング制御部１２６は、タイミングコントロールボードまたはＴＣＯＮボードでもよい。
【００４１】
ＬＣＤモジュール１３０は、タイミング制御部１２６の駆動制御により入力された映像信号を表示する。ＬＣＤモジュール１３０は液晶パネルおよび多様な光学シートを含む。そして、ＬＣＤモジュール１３０はバックライトを含む。ここで、バックライトはエッジ（ｅｄｇｅ）タイプでもよい。エッジタイプのバックライトは、ＬＣＤの側面から光を照射してバックライトを提供する方式のバックライトを意味する。ところが、それ以外に多様な方法のバックライトが適用されることができることはいうまでもない。
【００４２】
温度センサー部１４０は、ＬＣＤモジュール１３０の温度を検知する。温度センサー部１４０はＬＣＤモジュール１３０のいずれの部分にも装着することができ、例えば、ＬＣＤモジュール１３０の裏面の中央部分に装着されてもよい。そして、温度センサー部１４０は検知したＬＣＤモジュール１３０の温度に対する情報である温度情報をメイン制御部１２３に伝送する。
【００４３】
温度センサーは大きく接触型と非接触型で分けられる。接触型は測定対象物との接触を通じて温度を測定する方式として、（プラチナ）抵抗温度センサー、サーミスター、熱電対、バイメタルなどのほとんどのセンサーがこれに該当し、非接触型には放射温度計、光高温度計がある。このように、温度センサー部１４０は多様な温度センサーによって実現できる。
【００４４】
保存部１５０は、ＬＣＤ  ＴＶ１００の駆動のための多様なソフトフェアが保存されている。なお、保存部１５０は、各温度毎に補償値が対応している温度補償データは保存されている。ここで、温度補償データは、多様な温度毎に補償値がそれぞれ対応しているテーブルに該当する。例えば、温度補償データは各温度毎に設定されたＤＣＣテーブルでもよい。保存部１５０は多様な保存媒体でもよく、例えば、非揮発性メモリー、ハードディスクなどでもよい。
【００４５】
ユーザインターフェース部１６０は、ユーザから命令を入力される。具体的は、ユーザインターフェース部１６０には、ユーザからの温度補償モードに対する命令および温度補償設定値が入力される。ここで、温度補償モードは、温度補償方式に関するモードとして、自動モードおよび手動モードがある。そして。温度補償モードが手動モードである場合、ユーザインターフェース部１６０はユーザから温度補償設定値を入力される。
【００４６】
ユーザインターフェース部１６０は、ＬＣＤ  ＴＶ１００に設けられたボタン、リモコンなどでもよい。
【００４７】
このような構造のＬＣＤ  ＴＶ１００は、メイン制御部１２３により温度補償を適用してＬＣＤを駆動するため、低い温度でも速い応答速度を維持できるようになる。従って、ＬＣＤ  ＴＶ１００は３次元映像を表示する場合に、クロストーク現象を減らすことができるようになる。
【００４８】
本実施形態で、ＬＣＤ  ＴＶ１００はメイン制御部１２３により温度補償が適用されるものとして説明してきた。具体的に、温度センサー部１４０はメイン制御部１２３に温度情報を出力し、温度補償データはメイン制御部１２３に接続された保存部１５０に保存されたことが確認できる。
【００４９】
しかし、ＬＣＤ  ＴＶ１００は、タイミング制御部１２６で温度補償を適用するように実現されることもでき、これについて図１Ｂを参考に以下に説明する。
【００５０】
図１Ｂは、本発明の一実施形態に係るタイミング制御部により補償動作が行なわれるＬＣＤ（Ｌｉｑｕｉｄ  Ｃｒｙｓｔａｌ  Ｄｉｓｐｌａｙ）ＴＶ１００の構成を示すブロック図である。図１Ｂに示されるように、ＬＣＤ  ＴＶ１００は、映像入力部１１０と、制御部１７０と、ＬＣＤモジュール１３０と、温度センサー部１８０と、保存部１９０およびユーザインターフェース部１６０を含む。
【００５１】
図１Ｂは、図１Ａの構成と類似しているが、一部構成が異なっている。具体的に、図１Ｂからは、温度センサー部１８０はタイミング制御部１７６に接続され、保存部１９０もタイミング制御部１７６に接続されていることが確認できる。従って、図１Ｂに対する説明では、その相違点に着目して説明する。
【００５２】
制御部１７０は、入力された映像に応じてＬＣＤモジュール１３０が駆動するように、駆動信号を生成してＬＣＤモジュール１３０に印加する。この時、制御部１７０はＬＣＤモジュール１３０の温度に応じて駆動タイミングを補償するための温度補償を適用して駆動信号を補正し、補正された駆動信号に応じてＬＣＤモジュール１３０は駆動するように制御する。
【００５３】
図１Ｂに示されるように、制御部１７０は、メイン制御部１７３およびタイミング制御部１７６を含む。メイン制御部１７３はＬＣＤ  ＴＶ１００の全般の動作を制御する。具体的に、メイン制御部１７３は映像入力部１１０を介して入力された映像を信号処理し、処理された映像信号をタイミング制御部１７６に出力する。その他にも、メイン制御部１７３はＬＣＤ  ＴＶ１００の多様な動作を制御する。
【００５４】
なお、メイン制御部１７３はユーザインターフェース部１６０を介して温度補償モードの選択命令を入力され、入力されたモードに応じて温度補償を行なうようにタイミング制御部１７６を制御する。例えば、温度補償モードが自動モードに選択された場合、メイン制御部１７３はタイミング制御部１７６が温度センサー部１８０によって検知された温度に応じて自動で温度補償を適用するように制御する。一方、温度補償モードが手動モードに選択された場合、メイン制御部１７３はタイミング制御部１７６がユーザによって入力された設定値に応じて温度補償を適用するように制御する。
【００５５】
タイミング制御部１７６は、メイン制御部１７３から入力された映像信号に応じてＬＣＤモジュールの駆動タイミングを調節する。即ち、タイミング制御部１７６は入力された映像信号に基づいて駆動信号を生成し、生成された駆動信号をＬＣＤモジュール１３０に印加することにより、ＬＣＤモジュール１３０を駆動させると同時に駆動タイミングを調節するようになる。この時、タイミング制御部１７３は入力された映像信号に温度補償を適用して駆動信号を生成するようになる。ここで、タイミング制御部１７６は、タイミングコントロールボードまたはＴＣＯＮボードでもよい。
【００５６】
タイミング制御部１７６は、ＬＣＤモジュール１３０の温度に応じて駆動タイミングを補償するための温度補償を適用して駆動信号を生成し、これをＬＣＤモジュール１３０に印加する。
【００５７】
タイミング制御部１７６は、温度センサー部１８０によって検知された温度情報に応じて温度補償を適用することもできる。例えば、温度補償が自動で適用される自動モードに設定された場合、タイミング制御部１７６は温度センサー部１８０から現在のＬＣＤモジュール１３０の温度に関する情報である温度情報を受信するようになる。そして、タイミング制御部１７６は保存部１９０に保存された温度補償データを用いて温度情報に対応する温度補償値を抽出する。その後に、タイミング制御部１７６は抽出された温度補償値に応じて、ＬＣＤモジュール１３０に印加される駆動信号を生成するようになる。このような過程を通じて、タイミング制御部１７６はＬＣＤモジュール１３０の温度に応じて駆動信号に温度補償を自動で適用するようになる。
【００５８】
なお、タイミング制御部１７６は、ユーザの操作によって設定された設定値に応じて温度補償を適用することもできる。例えば、温度補償がユーザによって設定される手動モードに設定された場合、タイミング制御部１７６はユーザインターフェース部１６０を介して入力されたユーザ命令に対応する温度補償設定値をメイン制御部１７３から受信する。そして、タイミング制御部１７６は保存部１９０に保存された温度補償データを用いて受信された温度補償設定値に対応する温度補償値を抽出する。その後に、タイミング制御部１７６は抽出された温度補償値に応じて、ＬＣＤモジュール１３０に印加される駆動信号を補正して生成するようになる。このような過程を通じて、タイミング制御部１７６はＬＣＤモジュール１３０の温度に応じて入力された映像信号に温度補償をユーザの操作により手動で適用するようになる。
【００５９】
温度センサー部１８０は、ＬＣＤモジュール１３０の温度を検知する。温度センサー部１８０はＬＣＤモジュール１３０のいずれの部分にも装着することができ、例えば、ＬＣＤモジュール１３０の裏面の中央部分に装着されてもよい。そして、温度センサー部１８０は検知したＬＣＤモジュール１３０の温度に対する情報である温度情報をタイミング制御部１７６に伝送する。
【００６０】
温度センサーは大きく接触型と非接触型で分けられる。接触型は測定対象物との接触を通じて温度を測定する方式として、（プラチナ）抵抗温度センサー、サーミスター、熱電対、バイメタルなどのほとんどのセンサーがこれに該当し、非接触型には放射温度計、光高温度計がある。このように、温度センサー部１８０は多様な温度センサーによって実現できる。
【００６１】
保存部１９０は、ＬＣＤ  ＴＶ１００のタイミング制御のための多様な情報が保存されている。なお、保存部１９０は、各温度毎に補償値が対応している温度補償データが保存されている。ここで、温度補償データは、多様な温度毎に補償値がそれぞれ対応しているテーブルに該当する。例えば、温度補償データは各温度毎に設定されたＤＣＣテーブルでもよい。保存部１９０は多様な保存媒体でもよく、例えば、ＴＣＯＮボードに配置されたＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）でもよい。
【００６２】
このような構造のＬＣＤ  ＴＶ１００は、タイミング制御部１７６により温度補償を適用してＬＣＤを駆動するため、低い温度でも速い応答速度を維持できるようになる。従って、ＬＣＤ  ＴＶ１００は３次元映像を表示する場合に、クロストーク現象を減らすことができるようになる。
【００６３】
以下では、図２を参考にＬＣＤ  ＴＶ１００の駆動方法について詳細に説明する。図２は、本発明の一実施形態に係るＬＣＤ駆動方法を説明するために提供されるフローチャートである。
【００６４】
まず、ＬＣＤ  ＴＶ１００は、現在設定されている温度補償モードが自動モードであるか、それとも手動モードであるかを判断する（Ｓ２００）。具体的には、ＬＣＤ  ＴＶ１００はユーザにより設定された温度補償モードが何かを判断し、これについて図３Ａを参考にして説明する。
【００６５】
図３Ａは、本発明の一実施形態に係る温度補償モードを設定するための画面を示す図である。図３Ａに示されるように、ＬＣＤ  ＴＶ１００は温度補償モードを選択するためのウィンドウ３００を画面に表示する。そして、温度補償モード選択ウィンドウ３００は、自動モードアイコン３１０および手動モードアイコン３２０を含む。
【００６６】
ユーザによって自動モードアイコン３１０が選択されると、ＬＣＤ  ＴＶ１００は温度補償モードを自動モードに設定する。そして、ユーザによって手動モードアイコン３２０が選択されると、ＬＣＤ  ＴＶ１００は温度補償モードを手動モードに設定する。
【００６７】
このように、ＬＣＤ  ＴＶ１００はユーザが温度補償モードを選択できるようにＧＵＩが提供できる。
【００６８】
図２の説明に戻り、もし現在のモードが自動モードである場合（Ｓ２００−Ｙ）、ＬＣＤ  ＴＶ１００は温度センサーを介してＬＣＤモジュール１３０の温度を検知する（Ｓ２１０）。その後に、ＬＣＤ  ＴＶ１００は保存された温度補償データを用いて温度情報に対応する温度補償値を抽出する（Ｓ２２０）。自動モードについては、図３Ｂを参考に以下に詳細に説明する。
【００６９】
図３Ｂは、本発明の一実施形態に係る温度補償モードが自動モードである場合の画面を示す図である。図３Ｂに示されるように、温度補償モードが自動モードに設定された場合、ＬＣＤ  ＴＶ１００は温度補償設定実行ウィンドウ３３０を画面に表示する。この際、温度補償実行ウィンドウ３３０には温度センサーにより検知された現在の温度が表示されることが確認できる。
【００７０】
このように、温度補償モードが自動モードである場合、ユーザの別途の操作がなくても自動で温度補償が適用されることが確認できる。
【００７１】
図２の説明に戻り、現在のモードが手動モードである場合（Ｓ２００−Ｎ）、ＬＣＤ  ＴＶ１００はユーザ操作により温度補償設定値を入力される（Ｓ２３０）。そして、ＬＣＤ  ＴＶ１００は保存された温度補償データを用いて温度補償設定値に対応する温度補償値を抽出する（Ｓ２４０）。温度補償モードが手動モードである場合については、図３Ｃを参考に以下に詳細に説明する。
【００７２】
図３Ｃは、本発明の一実施形態に係る温度補償モードが手動モードである場合の画面を示す図である。図３Ｃに示されるように、温度補償モードが手動モードである場合、ＬＣＤ  ＴＶ１００は温度補償設定ウィンドウ３４０を画面に表示する。温度補償設定ウィンドウ３４０には、温度毎の温度補償設定値が表示されたことか確認できる。従って、ユーザは現在の温度を考慮して温度補償設定値が選択できるようになる。
【００７３】
このように、ＬＣＤ  ＴＶ１００は、ユーザが温度補償設定値を選択できるようにＧＵＩが提供できる。
【００７４】
図２の説明に戻り、ＬＣＤ  ＴＶ１００は抽出された温度補償値に応じて駆動信号を補正する（Ｓ２５０）。そして、ＬＣＤ  ＴＶ１００は補正された駆動信号に応じてＬＣＤモジュールを駆動させるようになる（Ｓ２６０）。
【００７５】
このような過程を通じて、ＬＣＤ  ＴＶ１００はＬＣＤモジュール１３０の温度に応じて駆動信号に温度補償を自動または手動で適用するようになる。
【００７６】
図４Ａ及び図４Ｂは、本発明の一実施形態に係る温度補償を適用する前後のクロストーク現象の発生率を示すグラフを示す図である。
【００７７】
図４Ａは、温度補償を適用する前のクロストーク（ｘ−ｔａｌｋ）の発生率を示すグラフである。図４Ａに示されるように、２５度以下の低い温度ではクロストークの発生率が高いことが確認できる。
【００７８】
図４Ｂは、温度補償を適用した後のクロストークの発生率を示すグラフである。図４Ｂに示されるように、温度補償を適用した後には２５度以下の低い温度であってもクロストークの発生率が、図４Ａの場合より下がっていることが確認できる。
【００７９】
従って、本実施形態に係るＬＣＤ  ＴＶ１００は温度補償を適用してＬＣＤモジュールを駆動させることにより、クロストーク現象の発生率を下げることができるようになる。従って、ユーザは３次元映像の視聴時に、クロストークのない鮮明な画面を視聴できるようになる。
【００８０】
本実施形態で、ディスプレイ装置がＬＣＤ  ＴＶ１００であると説明してきたが、これに説明の便宜上の一実施形態に過ぎない。従って、ディスプレイ装置はＬＣＤディスプレイ装置なら如何なるものでも適用できる。例えば、ＬＣＤ装置は、３Ｄ  ＬＣＤ  ＴＶや一般ＬＣＤ  ＴＶやＬＣＤモニター、ノートパソコンなどにも適用できる。
【００８１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１Ａ】
2011221534.tif 000003
【図１Ｂ】
2011221534.tif 000004
【図２】
2011221534.tif 000005
【図３Ａ】
2011221534.tif 000006
【図３Ｂ】
2011221534.tif 000007
【図３Ｃ】
2011221534.tif 000008
【図４Ａ】
2011221534.tif 000009
【図４Ｂ】
2011221534.tif 000010